(57)【要約】      （修正有）【課題】スプリング機構への水や生ごみの付着を防ぎ、耐久性を向上し、清掃しやすい生ごみ圧縮水切り収容器を提供する。【解決手段】生ごみ圧縮水切り収容器の底部に排水孔が穿設され、収容器の上部に着脱自在な蓋体と蓋体の下部に生ごみの圧縮手段であるスプリング機構と該生ごみを押し付ける押し板で構成される。スプリング機構の一端は該蓋体の下部に固着され他端に押し板が固着されている。蓋体にスプリング機構部防護覆を備える。収容器の側面に蓋体を係止するロック機構を設け、ロック機構の受け具を蓋体端部に設ける。【選択図】図１
0003162870.tif 000002
【実用新案登録請求の範囲】
【請求項１】
生ごみ収容器底部に排水孔が穿設され上部に着脱自在な蓋体と蓋体下部に生ごみの圧縮手段であるスプリング機構と生ごみを圧縮する押し部機構を持つ水切り収容器にあって、圧縮手段が手による圧縮とスプリングによる圧縮の２段階圧縮手段を特徴とする生ごみ圧縮水切り収容器
【請求項２】
生ごみの水分による腐食と生ごみの付着からスプリング機構を防護し該機構の耐久性と清掃性向上を目途とする手段として、生ごみ収容器蓋体に設ける該スプリング機構防護覆を特徴とする生ごみ圧縮水切り収容器。
【請求項３】
前項の圧縮水切り収容器の蓋体を、手による圧縮押し下げ時に該蓋体が該収容器に自動的に係止出来且つ解緊自在な手段を特徴とする生ごみ圧縮水切り収容器。
【請求項４】
圧縮水切りし減容した生ごみを取り出す時、滴る虞れある水滴の受け皿に成り得る該収容器の蓋体を特徴とする生ごみ圧縮水切り収容器。
【考案の詳細な説明】
【技術分野】
【０００１】  本考案は生ごみを圧縮水切りする生ごみ収容器にあって、圧縮手段が手押しとスプリング押しの２段階圧縮手段に関するものであり、該収容器の耐久性と清掃性向手段に関するものである。
【背景技術】
【０００２】  一般家庭での生ごみの水切り（脱水）手段は大別すると（１）シンク内に置かれた水切り器での自然脱水。（２）遠心分離による強制脱水。（３）手押し具での圧縮脱水。（４）その他の圧縮手段（螺子螺旋・水圧・スプリング・エアー圧・梃子等）による脱水法が提供されている。
【考案の概要】
【考案が解決しようとする課題】
【０００３】  前項背景技術の内、該収容器のスプリング機構部を生ごみの水分による腐食と生ごみの付着から防護し耐久性と清掃性向上を図る手段を提供する。【０００４】  前項の該収容器の蓋体を押し下げた時、該収容器内の生ごみの圧力とスプリングの反発力で該蓋体と該収容器の掛金は掛け難い。【０００５】  生ごみの圧縮水切りが終わり生ごみを該容器から取り出す時、該容器内等からの水滴が落下する虞れがある。
【課題を解決するための手段】
【０００６】上記課題を解決する為に該収容器の蓋体に圧縮手段であるスプリング機構部に耐水性覆いを取り付ける。又該収容器と蓋体の係止を自動係止機構にする。
【考案の効果】
【０００７】  上記手段により、スプリング機構へ水が掛ることを防ぎ、生ごみ付着を防ぐ事ができる。食事を扱う場所であり容器への付着ヌメリや臭い発生は防ぎたい。スプリング機構を防護することにより課題である耐久性・清掃性が向上する。また自動係止装置により外観性向上や扱い易さ向上の効果がある。
【図面の簡単な説明】
【０００８】
【図１】本考案の圧縮水切り生ごみ収容器の断面図
【図２】該収容器と蓋体の自動係止機構図
【図３】該収容器の蓋体の天地を返した図
【図４】該収容器の２段階圧縮の概念図
【図５】該収容器の実施一例外観図
【考案を実施する形態】
【０００９】  圧縮水切り生ごみ収容器の蓋体スプリング機構部に、耐水性且つ折れ曲り耐久性ある不織布で覆いを成し、防水性と清掃性を向上させる。この結果該機構部の腐食を防ぎヌメリや臭い発生を抑制する。
【００１０】  圧縮水切り生ごみ収容器内の生ごみの上から該容器の蓋体を押し下げ圧縮した時の該蓋体と該容器を自動的に係止する機構を装備する。
【００１１】  生ごみ（水切り袋入り・袋なし）を該容器から取り出す時に滴る水滴がある時に水滴の受け皿と成り得る構造を持つ該容器の蓋体構造を提供する。
【実施例】
【００１２】  以下、添付図面に従って実施例を説明する。（図１）生ごみ７の入った収容器本体１に蓋体を上から手で押さえ圧縮し蓋体２を閉める。（図２）自動係止機構６により自動的に該蓋体２は該容器１に係止される。その後該蓋体に装備された圧縮機構のスプリング４と押さえ材５により生ごみは時間経過とともに水分が抜け圧力により変形委縮し嵩を減ずる。本容器では水切り袋入り生ごみでも袋なし生ごみでも使用可能である。（図３）水切りが終了した生ごみ７を取り出す時容器を傾け或いは水切り袋を取り出す時水滴が滴る懼れがある。この時に水滴受け皿に成り得る蓋体２の水受け部２ａで水滴を受け止める。（図４）は本収容器の２段回圧縮を説明する概念図である。（図５）生ごみを圧縮中もしくは未使用の該蓋体２を閉めた外観図である。圧縮手段が内蔵スプリング以外の螺旋螺子の操作ハンドルや他の圧縮手段の装置が無く外観上単純である。
【符号の説明】
【００１３】１  生ごみ収容器本体
２  該収容器の蓋体
３  圧縮スプリング部の覆材
４  圧縮スプリング
５  圧縮押さえ材
６  自動蓋体係止装置
７  生ごみ
８  排水孔
【図１】
0003162870.tif 000003
【図２】
0003162870.tif 000004
【図３】
0003162870.tif 000005
【図４】
0003162870.tif 000006
【図５】
0003162870.tif 000007
【手続補正書】
【提出日】平成22年5月13日(2010.5.13)
【手続補正１】
【補正対象書類名】実用新案登録請求の範囲
【補正対象項目名】全文
【補正方法】変更
【補正の内容】
【実用新案登録請求の範囲】
【請求項１】
生ごみ圧縮水切り収容器の底部に排水孔が穿設され該収容器の上部に着脱自在な蓋体と該蓋体の下部に生ごみの圧縮手段であるスプリング機構と該生ごみを押し付ける押し板で構成された該生ごみ圧縮水切り収容器にあって、該スプリング機構一端は該蓋体の下部に固着され他端に該押し板が固着されている。上記構造を備えることを特徴とする生ごみ圧縮水切り収容器。
【請求項２】
前記生ごみ圧縮水切り収容器蓋体にスプリング機構部防護覆を備えることを特徴とする請求項１記載の生ごみ圧縮水切り収容器。
【請求項３】
前記生ごみ圧縮水切り収容器の側面に蓋体を係止するロック機構を設ける。該ロック機構の受け具を該蓋体端部に設ける。該ロック機構は該収容器上部に該蓋体を被せ該蓋体を上部より圧した時一動作で該収容器と該蓋体はロックされる。且つ一動作でロック解除出来得るバネ使用のロック機構を備えることを特徴とする請求項１記載の生ごみ圧縮水切り容器。
【請求項４】
前記生ごみ圧縮水切り収容器から生ごみを取り出す時、該生ごみから滴る水滴を受け得るよう該蓋体を天地返し該水滴を受け止め得る該蓋体端部フランジと前記スプリング機構防護覆いとの間に水滴収容部を備えることを特徴とする請求項１または２または３記載の生ごみ圧縮水切り収容器。
【手続補正書】
【提出日】平成22年7月2日(2010.7.2)
【手続補正１】
【補正対象書類名】実用新案登録請求の範囲
【補正対象項目名】全文
【補正方法】変更
【補正の内容】
【実用新案登録請求の範囲】
【請求項１】
生ごみ圧縮水切り収容器の底部に排水孔が穿設され該収容器の上部に着脱自在な蓋体と該蓋体の下部に生ごみの圧縮手段であるスプリング機構と該生ごみを押し付ける押し板で構成された該生ごみ圧縮水切り収容器にあって、該スプリング機構一端は該蓋体の下部に固着され他端に該押し板が固着されている、生ごみ圧縮水切り収容器。
【請求項２】
前記生ごみ圧縮水切り収容器蓋体にスプリング機構部防護覆を備えることを特徴とする請求項１記載の生ごみ圧縮水切り収容器。
【請求項３】
前記生ごみ圧縮水切り収容器の側面に蓋体を係止するロック機構を設け、該ロック機構の受け具を該蓋体端部に設け、該ロック機構は該収容器上部に該蓋体を被せ該蓋体を上部より圧した時一動作で該収容器と該蓋体はロックされるものであり、且つ一動作でロック解除出来得るバネ使用のロック機構であることを特徴とする請求項１記載の生ごみ圧縮水切り容器。
【請求項４】
前記生ごみ圧縮水切り収容器から生ごみを取り出す時、該生ごみから滴る水滴を受け得るよう該蓋体を天地返し該水滴を受け止め得る該蓋体端部フランジと前記スプリング機構防護覆いとの間に水滴収容部を備えることを特徴とする請求項１または２または３記載の生ごみ圧縮水切り収容器。